(57)【要約】【課題】携帯端末機器におけるキーシートの取り替えを可能にするキーシートカバーを、任意の形状の携帯端末機器に対して適応可能な構成として実現する。【解決手段】携帯端末機器のフロントケース１２は、正面に保持プレート１４の裏面から垂直方向に延在して４隅に設けられた固定部１５を差し込む穴１６を有し、側面には、差し込みロック１８を差し込む穴１７を有している。フロントケース１２の正面の穴１６に保持プレート１４の固定部１５を差し込み、側面の穴１７に差込ロック１８を外側から差し込んで固定部１５に設けられた穴に貫通させることにより、キーシート１１を保持プレート１４と共に固定する。キーシート１１を交換するときは、差込ロック１８を穴１７から引き出すことにより、保持プレート１４をフロントケース１２から取り外して、キーシート１１を交換する。【選択図】図２
2007318453.tif 000002
【特許請求の範囲】
【請求項１】
筐体の正面に複数のキースイッチが配置された携帯端末本体と、前記各キースイッチに対応する位置にそれぞれ押圧用のボタンが配置されたキーシートと、該キーシートを前記キースイッチ上に保持する保持プレートを備えた携帯端末機器において、
前記保持プレート裏面の周囲複数個所に、前記保持プレート裏面から垂直方向に延在し、かつ差し込みロックが差し込まれる第１の穴を有する固定部を設け、
前記筐体の前記複数のキースイッチが配置された正面の周囲複数個所に、前記保持プレート裏面に設けられた固定部が差し込まれる第２の穴を設けるとともに、前記筐体側面の複数箇所に、前記第２の穴に差し込まれた前記固定部の前記第１の穴に前記差込ロックを差し込むための第３の穴を設け、
前記第２の穴に差し込まれた前記固定部の第１の穴に、前記第３の穴から差し込まれる前記差し込みロックの挿抜により前記保持プレートの着脱を可能にしたことを特徴とする携帯端末機器。
【請求項２】
前記差し込みロックは、前記筐体側面に設けられた第３の穴の径よりも大きい径を有する頭部と前記固定部に設けられた第１の穴に差し込まれたときに該第１の穴の縁に係合する爪を有しており、前記筐体側面に設けられた第３の穴の周辺には、前記差し込みロックが前記筐体側面に設けられた第３の穴と前記固定部に設けられた第１の穴を貫通して前記爪が該第１の穴の縁に係合することにより前記保持プレートが固定されたときに前記筐体側面と前記差し込みロックの頭部をほぼ同一平面とするための凹部が形成されていることを特徴とする請求項１に記載の携帯端末機器。
【請求項３】
前記差し込みロックは、挿入方向にスリットが設けられた形状となっていることを特徴とする請求項２に記載の携帯端末機器。
【請求項４】
筐体の正面に複数のキースイッチが配置された携帯端末本体と、前記各キースイッチに対応する位置にそれぞれ押圧用のボタンが配置されたキーシートと、該キーシートを前記キースイッチ上に保持する保持プレートを備えた携帯端末機器において、
前記保持プレート裏面の周囲複数個所に、前記保持プレート裏面から垂直方向に延在し、かつロック爪を有する固定部を設け、
前記筐体の前記複数のキースイッチが配置された正面の周囲複数個所に、前記保持プレート裏面に設けられた固定部が差し込まれる第２の穴を設けるとともに、前記筐体側面の複数箇所に、前記固定部が前記第２の穴に差し込まれたとき前記固定部のロック爪がその縁に係合されかつ該係合された前記ロック爪を筐体の外側から解除可能にする第３の穴を設け、
前記第２の穴に差し込まれて前記第３の穴の縁に係合されている前記固定部のロック爪を、前記筐体の外側から押し込むロック解除操作により前記保持プレートの着脱を可能にしたことを特徴とする携帯端末機器。
【請求項５】
前記筐体側面に設けられた第３の穴の周辺には、該第３の穴を塞ぐための化粧パネルが貼り付けられたときに該化粧パネルの表面と前記筐体側面をほぼ同一平面とするための凹部が形成されていることを特徴とする請求項４に記載の携帯端末機器。
【請求項６】
前記携帯端末機器は、ヒンジ部により回動可能に構成され、かつそれぞれがフロントケースとリアカバーで構成された第１及び第２の筺体からなり、前記キーシート及び保持プレートは前記第１の筐体のフロントケースに配置され、前記第２の穴及び第３の穴は、前記第１の筐体のフロントケースの正面及び側面に設けられていることを特徴とする請求項１〜５のいずれか１項に記載の携帯端末機器。
【発明の詳細な説明】
【技術分野】
【０００１】
本発明は、携帯端末機器のキーシート取り付け構造に関し、特にキーシートを簡単に交換して取り付け可能にする技術に関する。
【背景技術】
【０００２】
近年、手軽に携帯して移動可能な携帯電話機等の携帯端末機器の普及は目覚しく、その普及台数も著しく増加している。
【０００３】
図６は、このような携帯端末機器において多く採用されている形状の一例を示しており、押圧によるキー操作を行うためのキーシート１１が配置されている第１の筐体１と、ＬＣＤ等からなる表示部２１が配置されている第２の筐体２を、ヒンジ部３により折りたたみ可能な構成となっており、また、キーシート１１は、製造組み立て時に第１の筐体１のフロントケース１２の内側に組み込まれ、フロントケース１２とリアカバー１３をネジや嵌合ツメ等で固定することにより、キーシート１１の操作部がフロントケース１２の開口部から露出され、その周囲をフロントケース１２の開口部周囲で圧接保持することにより、第１の筐体１に固定されている。
【０００４】
この携帯端末機器は、機器毎の機能や大きさ等の差分が少ないために、他人の携帯端末機器との間でデザインや加飾等により差分を図ることが重要視される様になってきており、特に、携帯端末機器のキーシートを好みのデザインのものに交換可能にして差別化を図るとともに飽きがこないようにする方法が考えられているが、図７に示す携帯端末機器でキーシートを交換するには、携帯端末機器を分解しなければならず、また、分解して交換する際は、専用の装置動作試験機にてチェックをかける必要があり、工場や保守部門等の限られた場所でしか交換することができないため、簡単には交換することができない構成となっている。
【０００５】
このような問題の解消手段として、キーシートを着脱可能な取り付けカバーによって簡単な操作で携帯端末機器に組み込むことにより、機器を大幅に分解することなくキーシートを交換できる様にして、販売店等でもキーシートを簡単に交換することができ、端末の差別化を図るためのより加飾性に優れた部品への交換を容易にする構造が特許文献１等で提案されている。
【０００６】
特許文献１に記載の移動通信端末では、キーシートを固定するための取り付けカバーは、略矩形の前面部と、前記前面部の少なくとも筺体の側部に対応する２辺を含む３辺から略直角方向に延在するスカート部と、筺体の側部に対応する２辺に設けられたカバー側の係合用凹凸部と、スカート部のない１辺に設けた係合爪を備え、あるいは、略矩形の前面部と、一方の端辺側の裏面に設けたカバー側の係合用凹凸部と、他方の端辺側に設けたフック部を備え、この取り付けカバーによりキーシートを筐体に取り付ける際には、キーシートが予め位置決めされて実装された取り付けカバーを、筺体の端部方向からスライドして筺体側の係合用凹凸部に係合するとともに、係合爪を筺体側の貫通孔に侵入させて逆止機能を有するラッチ結合を実現する、あるいは、前記一方の端辺側の裏面に設けられたカバー側の係合用凹凸部をフロントケース前面の筺体側係止凹凸部を構成する係合孔に挿入したのちスライドさせて係合するとともに、他方の端辺側に設けたフック部をフロントケース前面側に押し込んで係合させて逆止機能を有するラッチ結合を実現することにより、移動通信端末の筺体の前面に配置されたキースイッチを覆うキーシートを、筺体とは独立した取り付けカバーにより工具等を使用することなく取り付け可能にし、筺体自体の分解作業を必要とせずにキーシートを交換できるようにしている。
【０００７】
【特許文献１】特開２００４−３３６５８２号公報
【発明の開示】
【発明が解決しようとする課題】
【０００８】
しかし、特許文献１に記載の発明の場合、カバーの取り付けにスライド構造を採用しているために、スライド方向にスペースを確保する必要が生じ、またその構成がスライド可能な形状に限られてしまうため、所望の携帯端末機器形状が作れない場合がある。また、キーシートの接点側に凹凸があってスライドできないような機器には対応できないという問題がある。
【０００９】
さらに、特許文献１に記載の構成では、使用中にこの取り付けカバーが不用意に外れてしまう虞がある。例えば使用中に、係合爪あるいはフック部の位置を強く押したりすると係合が解除されてしまい、取り付けカバーがケースから簡単に外れてしまうという問題がある。
【００１０】
また、通常、この取り付けカバーは、成型加工の容易性等の理由でプラスチック製部材が用いられることが多く、この逆止用の係合爪あるいはフック部の係合と係合解除が繰り返されるうちにこの係合爪あるいはフック部が破損してしまう虞もあり、一旦破損すると取り付けカバー全体を交換しなければならなくなるという問題もある。
【００１１】
本発明の目的は、上記問題点に鑑み、携帯端末機器におけるキーシートの取り替えを可能にするキーシートカバーを、任意の形状の携帯端末機器に対して適応可能な構成として実現する手段を提供することにある。
【００１２】
本発明の他の目的は、携帯端末機器におけるキーシートの取り替えを可能にするキーシートカバーを、該カバーが使用中に不用意に外れることがない構成として実現する手段を提供することにある。
【００１３】
本発明の他の目的は、携帯端末機器におけるキーシートの取り替えを可能にするキーシートカバーを、該カバーの係合部が破損する虞のない構成として実現する手段を提供することにある。
【課題を解決するための手段】
【００１４】
本発明の第１の実施形態の携帯端末機器は、筐体の正面に複数のキースイッチが配置された携帯端末本体と、前記各キースイッチに対応する位置にそれぞれ押圧用のボタンが配置されたキーシートと、該キーシートを前記キースイッチ上に保持する保持プレートを備えており、前記保持プレート裏面の周囲複数個所に、前記保持プレート裏面から垂直方向に延在し、かつ差し込みロックが差し込まれる第１の穴を有する固定部を設け、前記筐体の前記複数のキースイッチが配置された正面の周囲複数個所に、前記保持プレート裏面に設けられた固定部が差し込まれる第２の穴を設けるとともに、前記筐体側面の複数箇所に、前記第２の穴に差し込まれた前記固定部の前記第１の穴に前記差し込みロックを差し込むための第３の穴を設け、前記第２の穴に差し込まれた前記固定部の第１の穴に、前記第３の穴から差し込まれる前記差し込みロックの挿抜により前記保持プレートの着脱を可能にしたことを特徴としている。
【００１５】
また、本発明の第２の実施形態の携帯端末機器は、筐体の正面に複数のキースイッチが配置された携帯端末本体と、前記各キースイッチに対応する位置にそれぞれ押圧用のボタンが配置されたキーシートと、該キーシートを前記キースイッチ上に保持する保持プレートを備えており、前記保持プレート裏面の周囲複数個所に、前記保持プレート裏面から垂直方向に延在し、かつロック爪を有する固定部を設け、前記筐体の前記複数のキースイッチが配置された正面の周囲複数個所に、前記保持プレート裏面に設けられた固定部が差し込まれる第２の穴を設けるとともに、前記筐体側面の複数箇所に、前記固定部が前記第２の穴に差し込まれたとき前記固定部のロック爪がその縁に係合されかつ該係合された前記ロック爪を筐体の外側から解除可能にする第３の穴を設け、前記第２の穴に差し込まれて前記第３の穴の縁に係合されている前記固定部のロック爪を、前記筐体の外側から押し込むロック解除操作により前記保持プレートの着脱を可能にしたことを特徴としている。
【発明の効果】
【００１６】
本発明の携帯端末機器では、キーシートを筐体の正面側から固定して保持する保持プレートは、筐体の正面側から垂直に差し込まれて筐体に固定される構成となっており、保持プレートを筐体正面に沿ってスライドさせるような操作は不要であるので、スライドのためのスペースや携帯端末機器形状の制約を受けることなく、任意の形状の携帯端末機器に対して適用することが可能である。
【００１７】
また、保持プレートを着脱するための機構は携帯端末機器筐体の側面に設けられており、かつ使用中に保持プレートが外れるような力が及ばない構成となっているので、使用中にキーシートや保持パネルが不用意に外れてしまうことがなく、また、係合部の強度も容易に増すことができる。
【００１８】
さらに、保持プレートを着脱するための機構が携帯端末機器筐体の側面に設けられているので、概観上の違和感が少ない構成とすることができ、かつデザイン上の制約を受けることなく実現することができる。
【発明を実施するための最良の形態】
【００１９】
図１は、本発明の第１の実施形態を示す携帯端末機器の外観斜視図であり、図２は、本実施形態の携帯端末機器を分解して示す斜視図である。また図３は、本実施形態の携帯端末機器を、機器の端面側からみたときの一部断面図であり、図４は、本実施形態の携帯端末機器を、上面側からみたときの一部断面図である。
【００２０】
本実施形態の携帯端末機器も、押圧によるキー操作を行うためのキーシート１１が配置されている第１の筐体１と、ＬＣＤ等からなる表示部２１が配置されている第２の筐体２を、ヒンジ部３により折りたたみ可能な構成となっている。本実施形態の携帯端末機器では、キーシート１１は、キーシート１１が配置されている第１の筐体１のフロントケース１２の正面側から、保持プレート１４によりキーシート１１のシート部１０の周囲を圧接保持することによってキースイッチ上に固定される。
【００２１】
そのため図２に示すように、保持プレート１４の裏面４隅には、この保持プレートをフロントケース１２の正面側から差し込んで固定するために、保持プレートの裏面から垂直方向に延在する固定部１５が一体に設けられている。また図３〜図４に示すように、固定部１５には、側面方向から差し込みロック１６が差し込まれる穴１５１がそれぞれ設けられている。
【００２２】
また、フロントケース１２の正面側には、保持プレート１４の裏面４隅に設けられた固定部１５が差し込まれる穴１２１が設けられ、フロントケース１２の正面側には、正面側の穴１２１と対応する位置にそれぞれ側面方向から差し込みロック１６を差し込むための穴１２２が設けられている。
【００２３】
本実施形態のキーシート交換構造を有する携帯端末機器は、図３の保持部の断面構造に示すように、キーシート１１のシート部１０を保持プレート１４で保持する構造となっており、フロントケース１２の正面の穴１２１に保持プレート１４の固定部１５を差し込み、フロントケース１２の側面の穴１２２に外側から差し込みロック１６を差し込んで固定部１５と共に固定する。
【００２４】
図４は図３の矢視１０から見た断面構造を示している。差し込みロック１６は、フロントケース１２の側面に設けられた穴１２２の径よりも大きい径を有する頭部１６２を有しており、フロントケース１２の側面に設けられた穴１２２の周囲には、差し込みロック１６の頭部１６２の厚みとほぼ同程度の凹部１２３が形成され、差し込みロック１６が、フロントケース１２の側面の穴１２２と固定部１５の穴１５１を貫通して差し込まれて、差し込みロック１６の先端に設けられた爪１６１を固定部１５の穴１５１の縁に係合させることにより保持プレート１４が固定されているとき、フロントケース１２の側面と差し込みロック１６の頭部１６２がほぼ同一平面となるようにしている。
【００２５】
また、保持プレート１４を取り外す際は、フロントケース１２の凹部１２３より差し込みロック１６の頭部１６２をペンチ等で引っ張り出すことによりロックを外せば、保持プレート１４の固定部１５をフロントケース１２の正面側の穴１２１から引き出すことができる。差し込みロック１６としては弾性を有する材質が用いられ、差し込みロック１６が引っ張り出される際に撓むことにより差し込みロック１６の先端に設けられた爪１６１が固定部１５の穴１５１の縁から外れるようにする。なお図５に示すように、この差し込みロック１６は、挿入方向にスリット１６３を設けた形状とすることもできる。
【００２６】
図６は、本発明の第２の実施形態を示す携帯端末機器の外観斜視図である。
【００２７】
第１の実施形態では、保持プレート１４の固定のために差し込みロック１６を使用しているが、本実施形態では、保持プレート１４の裏面に設けられた固定部１５にロック爪１５２を設け、このロック爪１５２を、フロントケース１２の側面に設けられた穴１２２の縁に係合することにより、保持プレート１４を固定したことを特徴としている。
【００２８】
保持プレート１４を取り外しは、穴１２２の外側から針金等でロック爪１５２を押し込むことによりロックを外して、固定部１５をフロントケース１２の正面の穴１２１から引き出すことにより実現できる。また、組み立て後は、フロントケース１２の側面に設けられた穴１２２を塞ぐ化粧パネル１７を貼り付けることにより、穴を目立たなくすることができる。そのため、フロントケース１２の側面に設けられた穴１２２の周辺には、穴１２２を塞ぐための化粧パネル１７が貼り付けられたとき該化粧パネルの表面とフロントケース１２の側面がほぼ同一平面となるようにするために、凹部が形成されている。
【００２９】
本実施形態によれば、キーシート部分の交換をより簡単な操作で実施することができる。
【００３０】
以上のように、本発明では、保持プレート１４を着脱する方向と、保持プレート１４を外す力を付勢する方向は互いに直行しており、かつ、通常の使用時に保持プレート１４を外す力が直接加わることがない構成としているので、使用中不用意に保持プレート１４が外れることはなく、また、キー操作面からは保持プレート１４を固定する部材が見えない構成であるので、デザイン上の制約もほとんど受けない構成とすることができる。
【００３１】
なお上記実施形態では、押圧によるキー操作を行うためのキーシートが配置されている第１の筐体と、ＬＣＤ等からなる表示部が配置されている第２の筐体を、ヒンジ部により折りたたみ可能な構成を有する携帯端末機器を、その対象として説明したが、本発明は上記実施形態に限定されるものではなく、例えば単一の筐体にキー操作部及び表示部を有する携帯端末機器等、適宜の構成の携帯端末機器に対して本発明を適用できることは言うまでもない。
【００３２】
また上記実施形態では、キーシート１１を保持する保持プレート１４は、キーシート１１の周囲を保持するほぼ矩形の枠として構成されているが、キーシート上の各押しボタンをそれぞれ独立に相通する複数の挿通孔を備えた保持プレートとして構成することもできる。
【図面の簡単な説明】
【００３３】
【図１】本発明の実施形態を示す携帯端末機器の斜視図である。
【図２】本実施形態の携帯端末機器を分解して示す斜視図である。
【図３】本実施形態の携帯端末機器を端面側からみたときの一部を示す断面図である。
【図４】本実施形態の携帯端末機器を上面側からみたときの一部を示す断面図である。
【図５】本実施形態で用いられる差込ロックの一例を示す図である。
【図６】本発明の他の実施形態における携帯端末機器を端面側からみたときの一部を示す断面図である。
【図７】従来の携帯端末機器の外観を示す斜視図である。
【符号の説明】
【００３４】
１  第１の筐体
２  第２の筐体
３  ヒンジ部
１０  シート部
１１  キーシート
１２  フロントケース
１３  リアカバー
１４  保持プレート
１５  固定部
１６  差し込みロック
１７  化粧パネル
２１  表示部
１２１，１２２，１５１  穴
１２３、１２４  凹部
１５２,１６１  ロック爪
１６２  差し込みロック頭
【図１】
2007318453.tif 000003
【図２】
2007318453.tif 000004
【図３】
2007318453.tif 000005
【図４】
2007318453.tif 000006
【図５】
2007318453.tif 000007
【図６】
2007318453.tif 000008
【図７】
2007318453.tif 000009